(57)【要約】【課題】車内環境に適した形で複数の画面データを乗車者が把握しやすいように提供すること。【解決手段】ディスプレイの表示領域上に配置される複数の部分領域それぞれについての配置情報と各部分領域に対する画面データの対応順序を示す優先度とを関連付けた情報である部分領域情報を記憶し、表示領域調停部が、ディスプレイに対する画面データの表示要求を受け付けた場合に、部分領域情報に含まれる優先度に基づいて画面データを部分領域のいずれかに対応付け、部分領域に対応付けられた画面データを部分領域情報に含まれる配置情報に基づいてディスプレイへ表示するように車載装置を構成する。また、生成した画面データの表示に関して希望する部分領域を指定するように携帯端末装置を構成する。【選択図】    図２
2009140488.tif 000002
【特許請求の範囲】
【請求項１】
携帯端末装置が生成した複数の画面データを１つのディスプレイに対して表示する車載装置であって、
前記ディスプレイの表示領域上に配置される複数の部分領域それぞれについての配置情報と各部分領域に対する前記画面データの対応順序を示す優先度とを関連付けた情報である部分領域情報を記憶部へ登録する部分領域情報登録手段と、
前記ディスプレイに対する前記画面データの表示要求を受け付けた場合に、前記部分領域情報に含まれる前記優先度に基づいて当該画面データを前記部分領域のいずれかに対応付けることによって表示領域の調停を行う表示領域調停手段と、
前記部分領域に対応付けられた前記画面データを前記部分領域情報に含まれる前記配置情報に基づいて前記ディスプレイへ表示する表示制御手段と
を備えたことを特徴とする車載装置。
【請求項２】
前記部分領域情報は、
各部分領域と前記画面データとの対応関係を固定とするか否かを示す固定情報を含むものであって、
前記表示領域調停手段は、
前記表示要求を受け付けた場合に、当該表示要求に対応する前記画面データを前記部分領域に対応付けることによって対応する前記部分領域を失う前記画面データについて、前記固定情報および前記優先度に基づいて新たな前記部分領域との再対応付けを行うことを特徴とする請求項１に記載の車載装置。
【請求項３】
前記対応付け手段による前記再対応付けによっても対応する前記部分領域がない前記画面データを保持する画面保持手段をさらに備えたことを特徴とする請求項２に記載の車載装置。
【請求項４】
前記対応付け手段によって前記部分領域に対応付けられた前記画面データを生成した前記携帯端末装置に対して当該部分領域のサイズを通知することで前記画面データのサイズを変更させる領域サイズ通知手段をさらに備えたことを特徴とする請求項１、２または３に記載の車載装置。
【請求項５】
前記部分領域情報登録手段は、
複数の前記部分領域情報を前記記憶部へ登録するものであって、
使用する部分領域情報を前記乗車者に選択させる選択手段をさらに備えたことを特徴とする請求項１〜４のいずれか一つに記載の車載装置。
【請求項６】
前記部分領域情報登録手段は、
複数の前記部分領域情報を前記記憶部へ登録するものであって、
前記表示領域調停部は、
前記表示要求を受け付けた前記画面データの数に基づき、使用する前記部分領域情報を切り替えることを特徴とする請求項１〜５のいずれか一つに記載の車載装置。
【請求項７】
携帯端末装置と前記携帯端末装置が生成した複数の画面データを１つのディスプレイに対して表示する車載装置とで前記画面データの表示制御を行う表示制御システムであって、
前記車載装置は、
前記ディスプレイの表示領域上に配置される複数の部分領域それぞれについての配置情報と各部分領域に対する前記画面データの対応順序を示す優先度とを関連付けた情報である部分領域情報を記憶部へ登録する部分領域情報登録手段と、
前記ディスプレイに対する前記画面データの表示要求を受け付けた場合に、前記部分領域情報に含まれる前記優先度に基づいて当該画面データを前記部分領域のいずれかに対応付けることによって表示領域の調停を行う表示領域調停手段と、
前記部分領域に対応付けられた前記画面データを前記部分領域情報に含まれる前記配置情報に基づいて前記ディスプレイへ表示する表示制御手段と
を備え、
前記携帯端末装置は、
前記画面データの表示を希望する前記部分領域を指定する入力手段
を備えたことを特徴とする表示制御システム。
【請求項８】
前記車載装置は、
前記表示領域調停手段によって前記部分領域に対応付けられた前記画面データを生成した前記携帯端末装置に対して当該部分領域のサイズを通知する領域サイズ通知手段をさらに備え、
前記携帯端末装置は、
前記車載装置の前記通知手段から通知された前記サイズに対応した前記画面データを前記車載装置に対して提供する画面生成手段をさらに備えたことを特徴とする請求項７に記載の表示制御システム。
【請求項９】
複数の携帯端末装置と無線通信により接続され、複数のデータを１つのディスプレイに対して表示する車載装置であって、
前記ディスプレイの表示領域上に配置される複数の部分領域それぞれについての配置情報と各部分領域に対する前記画面データの対応順序を示す優先度とを関連付けた情報である部分領域情報を記憶部へ登録する部分領域情報登録手段と、
前記ディスプレイに表示するデータを特定するデータ情報を前記携帯端末装置から受け付けた場合に、当該データ情報により特定されるデータを取得して、前記部分領域情報に含まれる前記優先度に基づいて当該データを前記部分領域のいずれかに対応付けることによって表示領域の調停を行う表示領域調停手段と、
前記部分領域に対応付けられた前記データを前記部分領域情報に含まれる前記配置情報に基づいて前記ディスプレイへ表示する表示制御手段と
を備えたことを特徴とする車載装置。
【請求項１０】
過去に前記ディスプレイに表示されたデータを記憶するデータ記憶手段をさらに備え、
前記表示領域調停手段は、利用者の指示操作により指定されたデータを前記データ記憶手段から取得して、前記部分領域情報に含まれる前記優先度に基づいて当該データを前記部分領域のいずれかに対応付けることによって表示領域の調停を行うことを特徴とする請求項９に記載の車載装置。
【請求項１１】
前記ディスプレイに表示したデータの取得要求を送信した携帯端末装置に、前記ディスプレイに表示したデータを送信するデータ送信手段をさらに備えたことを特徴とする請求項９または１０に記載の車載装置。
【請求項１２】
前記データ送信手段は、テキストデータ、画像データの少なくとも一つのデータ形式を用いて、前記データを送信することを特徴とする請求項１１に記載の車載装置。
【請求項１３】
既に接続されている前記複数の携帯端末装置とは異なる他の携帯端末装置から接続要求を受け付けた場合に、所定の条件に基づいて、前記他の携帯端末装置との接続を許可または拒否する接続制御手段をさらに備えたことを特徴とする請求項９〜１１のいずれか一つに記載の車載装置。
【請求項１４】
既に接続されている携帯端末装置との接続を、所定の条件に基づいて、切断する接続切断手段をさらに備えたことを特徴とする請求項９〜１３のいずれか一つに記載の車載装置。
【請求項１５】
前記表示制御手段は、前記ディスプレイへデータを表示するのに際して、当該データを特定するデータ情報を送信した携帯端末装置を特定する情報をあわせて、前記ディスプレイに表示することを特徴とする請求項９〜１４のいずれか一つに記載の車載装置。
【発明の詳細な説明】
【技術分野】
【０００１】
この発明は、乗車者によって携帯される携帯端末装置が生成した複数の画面データを１つのディスプレイに対して表示する車載装置およびかかる車載装置を含む表示制御システムに関し、特に、車内環境に適した形で複数の画面データを乗車者が把握しやすいように提供することができる車載装置および表示制御システムに関する。
【背景技術】
【０００２】
近年、目的地までのルート情報を提供するカーナビゲーションの普及に伴い、自動車には液晶ディスプレイ等のディスプレイ装置が搭載されることが一般的になってきた。また、携帯電話やＰＤＡ（Personal  Digital  Assistant）等の携帯端末装置も普及してきており、携帯端末装置が生成した画面データを自動車に搭載されたディスプレイ装置に表示することも行われている。
【０００３】
そして、１台の携帯端末装置が生成した複数の画面データや、複数台の携帯端末装置が生成した複数の画面データを１台のディスプレイ装置に表示させる場合には、ディスプレイ装置の表示領域の制限から、画面データの表示位置や表示サイズを調整する画面制御が必要となる。このような画面制御の手法としては、各画面データに対応したウィンドウを重ね合わせて表示しておき、マウスやキーボードによる操作でウィンドウの位置や表示順序を変更する手法があり、パーソナルコンピュータの分野では広く用いられている。
【０００４】
また、特許文献１には、車載ディスプレイ装置にナビゲーション画面や携帯電話が生成した画面を表示する場合に、各画面に対応するウィンドウの位置、大きさ、表示順序についての優先度を指定しておき、ウィンドウが重なった場合に、優先度の高いウィンドウを前面に表示する手法が開示されている。
【０００５】
【特許文献１】特開２００１−１４１３３号公報
【発明の開示】
【発明が解決しようとする課題】
【０００６】
しかしながら、上記したパーソナルコンピュータの分野で用いられている画面制御手法は、マウスやキーボードによる操作を前提とするものであり、振動がある自動車内では細かなウィンドウ操作を行いづらいという問題がある。また、特許文献１の技術は、重なったウィンドウを表示制御することを前提とするものであるが、ウィンドウ操作が行いづらい車内では、重なったウィンドウの中から所望するウィンドウを探すこと自体が難しいという問題もある。
【０００７】
また、上記した各従来技術では、新しいウィンドウを開いたり、ウィンドウの位置や表示順序を自由に変更したりすることができるため、ちょっとした誤操作でディスプレイ装置上の画面レイアウトが大幅に変更されてしまうことがある。しかし、ディスプレイ装置を凝視し続けることが少ない車内環境で、前回見たウィンドウの位置が大幅に変更されてしまうと、表示内容を瞬時にして把握することが難しくなってしまう。
【０００８】
これらのことから、振動等によって画面操作がしづらく、また、ディスプレイ装置に表示された情報を瞬時に把握することが必要な車内環境であっても、複数の画面データを乗車者が把握しやすいように提供する車載装置や表示制御システムをいかにして実現するかが大きな課題となっている。
【０００９】
この発明は、上述した従来技術による問題点を解消するためになされたものであり、車内環境に適した形で複数の画面データを乗車者が把握しやすいように提供することができる車載装置および表示制御システムを提供することを目的とする。
【課題を解決するための手段】
【００１０】
上述した課題を解決し、目的を達成するため、本発明は、携帯端末装置が生成した複数の画面データを１つのディスプレイに対して表示する車載装置であって、前記ディスプレイの表示領域上に配置される複数の部分領域それぞれについての配置情報と各部分領域に対する前記画面データの対応順序を示す優先度とを関連付けた情報である部分領域情報を記憶部へ登録する部分領域情報登録手段と、前記ディスプレイに対する前記画面データの表示要求を受け付けた場合に、前記部分領域情報に含まれる前記優先度に基づいて当該画面データを前記部分領域のいずれかに対応付けることによって表示領域の調停を行う表示領域調停手段と、前記部分領域に対応付けられた前記画面データを前記部分領域情報に含まれる前記配置情報に基づいて前記ディスプレイへ表示する表示制御手段とを備えたことを特徴とする。
【００１１】
また、本発明は、携帯端末装置と前記携帯端末装置が生成した複数の画面データを１つのディスプレイに対して表示する車載装置とで前記画面データの表示制御を行う表示制御システムであって、前記車載装置は、前記ディスプレイの表示領域上に配置される複数の部分領域それぞれについての配置情報と各部分領域に対する前記画面データの対応順序を示す優先度とを関連付けた情報である部分領域情報を記憶部へ登録する部分領域情報登録手段と、前記ディスプレイに対する前記画面データの表示要求を受け付けた場合に、前記部分領域情報に含まれる前記優先度に基づいて当該画面データを前記部分領域のいずれかに対応付けることによって表示領域の調停を行う表示領域調停手段と、前記部分領域に対応付けられた前記画面データを前記部分領域情報に含まれる前記配置情報に基づいて前記ディスプレイへ表示する表示制御手段とを備え、前記携帯端末装置は、前記画面データの表示を希望する前記部分領域を指定する入力手段を備えたことを特徴とする。
【発明の効果】
【００１２】
本発明によれば、ディスプレイの表示領域上に配置される複数の部分領域それぞれについての配置情報と各部分領域に対する画面データの対応順序を示す優先度とを関連付けた情報である部分領域情報を記憶部へ登録し、ディスプレイに対する画面データの表示要求を受け付けた場合に、部分領域情報に含まれる優先度に基づいて画面データを部分領域のいずれかに対応付け、部分領域に対応付けられた画面データを部分領域情報に含まれる配置情報に基づいてディスプレイへ表示することとしたので、各画面データに対応するウィンドウが重なりあうことによる視認性の悪さを回避することができる。したがって、振動等によって画面操作がしづらく、また、ディスプレイに表示された情報を瞬時に把握することが必要な車内環境に適した形で複数の画面データを乗車者が把握しやすいように提供することができるという効果を奏する。
【００１３】
また、本発明によれば、車載装置は、ディスプレイの表示領域上に配置される複数の部分領域それぞれについての配置情報と各部分領域に対する画面データの対応順序を示す優先度とを関連付けた情報である部分領域情報を記憶部へ登録し、ディスプレイに対する画面データの表示要求を受け付けた場合に、部分領域情報に含まれる優先度に基づいて画面データを部分領域のいずれかに対応付け、部分領域に対応付けられた画面データを部分領域情報に含まれる配置情報に基づいてディスプレイへ表示し、携帯端末装置は、画面データの表示に関して希望する部分領域を指定することとしたので、各画面データに対応するウィンドウが重なりあうことによる視認性の悪さを回避することができる。したがって、振動等によって画面操作がしづらく、また、ディスプレイに表示された情報を瞬時に把握することが必要な車内環境に適した形で複数の画面データを乗車者が把握しやすいように提供することができるという効果を奏する。また、各乗車者が携帯する携帯端末装置によって画面データの表示位置を操作することができるという効果を奏する。
【発明を実施するための最良の形態】
【００１４】
以下に添付図面を参照して、この発明に係る車載装置および表示制御システムの好適な実施例を詳細に説明する。なお、以下では、車載装置および携帯端末装置から構成される画面制御システムについて説明することとする。
【実施例１】
【００１５】
図１は、本実施例に係る表示制御システムの概要を示す図である。同図に示すように、本実施例に係る画面制御システム１は、ディスプレイを備えた車載装置１０と、乗車者によって携帯される携帯端末装置２０とから構成される。なお、同図では、複数台の携帯端末装置２０を区別するため、各携帯端末装置２０に符号２０ａおよび２０ｂを付している。
【００１６】
同図に示すように、ディスプレイには、部分領域１〜６がディスプレイの表示領域を区切る形で設定される。すなわち、パーソナルコンピュータの分野で一般的な、複数のウィンドウを重ねて表示し、ウィンドウの位置や表示順序を自由に変更することができる形式（以下、「マルチウィンドウ形式」と記載する）とは異なり、各画面データを表示する部分領域を予め設定する。
【００１７】
また、各部分領域には、画面データの対応順序を示す優先度が設定される。たとえば、同図において、優先度が最も高い部分領域が部分領域１であり、最も低い部分領域が部分領域６であるとすると、最も早い表示要求に対応する画面データが部分領域１に表示され、次の表示要求に対応する画面データが部分領域２に表示される。
【００１８】
同図に示すように、携帯端末装置２０ａに搭載されたアプリケーションプログラムが画面データＡ〜Ｃを車載装置１０へ送信し、部分領域１に画面データＡが、部分領域２に画面データＢが、部分領域３に画面データＣが、それぞれ対応づけられてディスプレイに表示されているとする。この場合において、携帯端末装置２０ｂが画面データＤについての表示要求を車載装置１０に対して行うと（図１の（１）参照）、車載装置１０は、この画面データＤをどの部分領域に対応付けて表示するかを調停する（図１の（２）参照）。
【００１９】
具体的には、携帯端末装置２０ｂから部分領域１に画面データＤを表示したい旨の表示要求を受けた場合には、画面データＤを部分領域１に対応付け、画面データＡ、画面データＢおよび画面データＣを、部分領域２、部分領域３および部分領域４にそれぞれずらして（スライドして）対応付ける。なお、本実施例に係る画面制御システム１では、各部分領域と各画面データとの対応付けを固定することも可能であるが、この点については、図４等を用いて後述する。
【００２０】
このように、本実施例に係る画面制御システム１では、画面データの対応順序を示す優先度が設定された複数の部分領域を用意しておき、各部分領域に各画面データを割り当てることとしたので、各画面データを整列して表示することができる。したがって、上記したマルチウィンドウ形式のように他のウィンドウの下に隠れて画面データが見えなくなることがない。また、各部分領域自体はディスプレイ上の所定位置に固定されているので、新たな画面データの表示によって他の画面データの表示領域が変更された場合であっても、移動先を容易に見つけることができる。
【００２１】
なお、本実施例では、ディスプレイの表示領域に各部分領域を敷き詰める場合、すなわち、各部分領域がお互いに重ならないようにする場合について説明するが、各部分領域の周辺部分が視認性を妨げない範囲でお互いに重なるように、各部分領域を設定することとしてもよい。
【００２２】
次に、画面制御システム１を構成する車載装置１０および携帯端末装置２０の構成について図２を用いて説明する。なお、図２には、１台の携帯端末装置２０を示しているが、携帯端末装置２０の台数は任意のものとすることができる。
【００２３】
同図に示すように、車載装置１０は、入力部１１と、ディスプレイ１２と、通信部１３と、制御部１４と、記憶部１５とを備えている。また、制御部１４は、表示領域調停部１４ａと、表示要求受付部１４ｂと、領域サイズ通知部１４ｃとをさらに備えており、記憶部１５は、部分領域情報１５ａを記憶する。なお、同図においては、本発明に係る画面制御システム１の特徴を説明するために必要な構成要素のみを示している。
【００２４】
入力部１１は、ディスプレイの表示領域上に設定する各部分領域についての設定情報等の入力を行うためのボタン、ダイヤルといった入力装置であり、この入力部１１は、入力された情報を制御部１４の部分領域情報登録部１４ａおよび選択部１４ｂへ出力する。また、ディスプレイ１２は、液晶ディスプレイ等の表示装置であり、表示領域調停部１４ａが表示位置を調停した各画面データを表示する。
【００２５】
また、通信部１３は、携帯端末装置２０との無線通信を行う処理部である。この通信部１３は、たとえば、Ｂｌｕｅｔｏｏｔｈ（登録商標）の通信規格に基づき、携帯端末装置２０との間で双方向のデータ送受信を行う。なお、本実施例においては、車載装置１０／携帯端末装置２０間の通信を無線通信によって行う場合を示しているが、有線通信によって通信することとしてもよい。
【００２６】
制御部１４は、記憶部１５の部分領域情報１５ａに基づいて携帯端末装置２０が生成した各画面データの表示領域を調停し、調停後の各画面データをディスプレイ１２に対して出力する処理を行う処理部である。ここで、部分領域情報１５ａの例について図３を用いて説明しておく。図３は、部分領域情報１５ａの一例を示す図である。
【００２７】
図３に示すように、部分領域情報１５ａは、たとえば、矩形の部分領域を識別するための「領域名」と、各部分領域の位置を示す「位置」と、各部分領域のサイズを示す「サイズ」と、各部分領域に対する画面データの割り当て順序を示す「優先度」と、各画面データを識別するための「画面名」と、画面データと部分領域との対応付けを固定とするか否かを示す「固定／非固定」という各項目を含んだ情報である。
【００２８】
同図に示したように、「領域名」には、領域を識別する識別子等が、「位置」には、ディスプレイ１２の表示座標について当該部分領域（矩形領域）のいずれかの角の座標あるいは当該部分領域の中心座標が、「優先度」には、画面データの割り当て順序を示す数字が、それぞれ設定される。また、「画面名」には、現在割り当て中の画面データを識別する識別子が、「固定／非固定」には、画面データと部分領域との対応付けを固定にする場合には「Ｙｅｓ」が非固定にする場合には「Ｎｏ」が、表示領域調停部１４ａによって、それぞれ設定される。
【００２９】
たとえば、図３に示した場合では、領域名が「領域１」である部分領域の優先度は「１」であり、領域名が「領域２」である部分領域の優先度「２」であるので、最初の画面データが表示される部分領域は「領域１」となる。また、「領域１」には、「画面Ａ」が表示されているが、「固定／非固定」は「Ｎｏ」であるので、この「領域１」に新たな画面データを対応付けることは可能である。
【００３０】
そして、「領域１」に新たな画面データが割り当てられた場合には、既存の画面データを他の部分領域へとずらす（スライドする）こととなるが、「領域２」の「固定／非固定」は「Ｙｅｓ」であるので、「領域２」に表示されている「画面Ｂ」はそのまま表示され、「領域１」の既存の画面データは、その他の部分領域に表示されることになる。
【００３１】
部分領域情報登録部１４ａは、入力部１１を介して入力された部分領域情報１５ａを受け取り、受け取った部分領域情報１５ａを記憶部１５へ登録する処理を行う処理部である。また、選択部１４ｂは、複数の部分領域情報１５ａが記憶部１５に登録されている場合に、入力部１１を介した乗車者の操作に基づいて表示領域調停部１４ｃが使用する部分領域情報１５ａを選択する処理を行う処理部である。
【００３２】
表示領域調停部１４ｃは、記憶部１５の部分領域情報１５ａに基づき、表示要求受付部１４ｂから受け取った表示要求に含まれる画面データを各部分領域に割り当て、表示制御部１４ｄへ渡す処理を行う処理部である。また、この表示領域調停部１４ｃは、各部分領域に割り当てた画面データの画面名および当該画面を部分領域に固定するか否かについて、部分領域情報１５ａを更新する処理も併せて行う。さらに、この表示領域調停部１４ｃは、新たに部分領域が割り当てられた画面データについて、新たな部分領域のサイズを部分領域情報１５ａに基づき、領域サイズ通知部１４ｇに対して渡す処理も併せて行う。
【００３３】
ここで、表示領域調停部１４ｃが行う調停処理について図４および図５を用いて説明しておく。図４は、画面データの追加について説明する図であり、図５は、画面データの移動について説明する図である。なお、図４および図５においては、各部分領域の「優先度」は、高いほうから「領域１、領域２、領域３、領域４、領域５、領域６」であるものとする。また、各部分領域について「※固定」と記載されたものについては、図３に示した「固定／非固定」項目が「Ｙｅｓ」であり、特に記載されていないものについては、同項目が「Ｎｏ」であるものとする。
【００３４】
図４には、領域１〜領域６のすべてに画面データＡ〜Ｆがそれぞれ割り当てられている場合に、「画面データＧ」を追加して表示する旨の表示要求を受けた際の調停処理を示している。同図の「（Ａ）追加前」に示したように、すべての部分領域には、既に画面データがそれぞれ割り当てられており、領域２に表示されている画面データＢ、領域３に表示されている画面データＣおよび領域５に表示されている画面データＥは、対応関係を固定とする旨の設定がなされている。
【００３５】
そして、同図の「（Ｂ）画面データＧの追加要求」に示すように、新たな画面データＧを表示したい場合には、携帯端末装置２０上で画面データＧに対応するアプリケーションプログラムを動作させ、携帯端末装置２０の入力部２２あるいは車載装置１０の入力部１１を操作することによって、同図に示す「カーソル」を、画面データＧの表示を希望する部分領域に移動させる。なお、「カーソル」のデフォルト位置は、たとえば、「領域１」であり、乗車者は、デフォルト位置に表示された「カーソル」を、所望する部分領域（同図では領域２）へ移動させることになる。
【００３６】
ここで、画面データＧの表示を希望する領域２には、既に画面データＢが表示されおり、この画面データＢと領域２との対応付けを固定する旨の指定がなされている。このため、固定された対応付けを解除してよいか否かの確認メッセージが、ディスプレイ１２または携帯端末装置２０の図示しないディスプレイに対して表示される。なお、確認メッセージの表示は、乗車者が操作中の装置に対して行われる。
【００３７】
そして、画面データＢに関して固定された対応付けを解除して良い旨の応答を受けた場合には、画面データＧの表示先が領域２となり、今度は、画面データＧと領域２との対応関係を固定とするか否かの確認メッセージが、ディスプレイ１２または携帯端末装置２０の図示しないディスプレイに対して表示される。そして、固定／非固定についての指定に応じて部分領域情報１５ａが更新される。
【００３８】
なお、画面データＢに関して固定された対応付けを解除しない旨の応答を受けた場合には、他の部分領域を再選択するように促すメッセージをいずれかのディスプレイに表示する。また、各メッセージの表示は、乗車者が操作中の装置に対して行われる。
【００３９】
そして、画面データＢに関して固定された対応付けを解除して良い旨の応答を受け、画面データＧの表示先が領域２となった場合には、つづいて、同図の（Ｂ−１）〜（Ｂ−３）に示す、画面データのスライド処理が行われる。
【００４０】
かかるスライド処理は、固定の対応付けがなされた領域を除外したうえで、優先度の高い部分領域から優先度の低い部分領域に向けて行われる。すなわち、固定が解除された画面データＢの移動先候補としては、固定指定がなされていない領域である領域４および領域６があるが、領域４のほうが領域６よりも優先度が高いため、画面データＢの移動先は領域４となる（同図の「Ｂ−１」参照）。また、領域４に表示されていた画面データＤの移動先候補は、固定指定がなされていない領域が領域６のみであるので、領域６が移動先となる（同図の「Ｂ−２」参照）。
【００４１】
また、領域６に表示されていた画面データＦの移動先はないため、画面データＦは表示先を失うことになるが、この画面データＦの仮想的な表示先を、たとえば、領域７としておき、将来的に領域１〜６に対応する画面データが減少した場合に、領域７に対応付けられた画面データＦを繰り上げて表示する。
【００４２】
このようなスライド処理の結果を同図の「（Ｃ）追加後」に示した。「（Ｃ）追加後」に示すように、新規に追加した画面データＧは、領域２に割り当てられ、既存の画面データＢおよび画面データＤについては、領域４および領域６に割り当て先がそれぞれ変更されている。なお、新規に追加した画面データＧについては領域２との対応関係を非固定にする旨が指定されたものとする。
【００４３】
なお、画面データＢとの対応付けが固定されている領域２へ画面データＧを表示するにあたり、固定された対応付けを解除してよいか否かの確認メッセージを表示する旨の説明を行ったが、確認メッセージの表示に替えて所定の操作によって固定解除をすることとしてもよい。たとえば、携帯端末装置２０の入力部２２における所定の操作キーの連続操作によって固定解除をすることとすればよい。
【００４４】
次に、図面データの移動について図５を用いて説明する。図５に示したのは、既に部分領域に割り当てられている画面データについて表示位置を変更する場合の例であり、画面データＤの割り当て先を領域４から領域２へ変更する場合について示している。
【００４５】
同図の「（Ａ）移動元の選択」に示したように、乗車者によるカーソル移動によって、移動元が選択される。つづいて、「（Ｂ）移動先の選択」に示したように、同様のカーソル移動によって、移動先が選択される。
【００４６】
ここで、画面データＤの表示を希望する領域２には、既に画面データＢが表示されおり、この画面データＢと領域２との対応付けを固定する旨の指定がなされている。このため、固定された対応付けを解除してよいか否かの確認メッセージが、ディスプレイ１２または携帯端末装置２０の図示しないディスプレイに対して表示される。なお、確認メッセージの表示は、乗車者が操作中の装置に対して行われる。
【００４７】
そして、固定された対応付けを解除して良い旨の応答を受けた場合には、画面データＤの表示先が領域２となり、画面データＤと領域２との対応関係を固定とするか否かの確認メッセージが、ディスプレイ１２または携帯端末装置２０の図示しないディスプレイに対して表示される。そして、固定／非固定についての指定に応じて部分領域情報１５ａが更新される。
【００４８】
一方、固定された対応付けを解除しない旨の応答を受けた場合には、他の部分領域を移動先として再選択するように促すメッセージをいずれかのディスプレイに表示する。なお、各メッセージの表示は、乗車者が操作中の装置に対して行われる。
【００４９】
つづいて、表示先を失う画面データＢの新たな表示先を決定するため画面データのスライド処理が行われる。かかるスライド処理は、固定の対応付けがなされた領域を除外したうえで、優先度の高い部分領域から優先度の低い部分領域に向けて行われる。すなわち、固定が解除された画面データＢの移動先候補としては、固定指定がなされていない領域である領域４および領域６があるが、領域４のほうが領域６よりも優先度が高いため、画面データＢの移動先は領域４となる。
【００５０】
このようなスライド処理の結果を同図の「（Ｃ）移動後」に示した。「（Ｃ）移動後」に示すように、表示先を変更した画面データＧは、領域２に割り当てられ、既存の画面データＢについては、領域４が新たな割り当て先となっている。なお、表示先を変更した画面データＤについては領域２との対応関係を非固定にする旨が指定されたものとする。
【００５１】
図２の説明に戻り、表示制御部１４ｄについて説明する。表示制御部１４ｄは、表示領域調停部１４ｃによって部分領域に対応付けられた画面データを、部分領域情報１５ａに含まれる各部分領域の位置およびサイズに基づいてディスプレイ１２に対して表示する処理を行う処理部である。
【００５２】
画面保持部１４ｅは、表示領域調停部１４ｃによる調停の結果、対応する部分領域を失った画面データを保持する処理を行う処理部である。そして、この画面保持部１４ｅに保持された画面データは、部分領域に空きができた場合に、表示領域調停部１４ｃによっていずれかの部分領域と対応付けられる。なお、画面保持部１４ｅは、記憶部１５に画面データを保持することとしてもよい。
【００５３】
表示要求受付部１４ｆは、通信部１３を経由して携帯端末装置２０から受け取った表示要求を表示領域調停部１４ｃへ渡す処理を行う処理部である。また、領域サイズ通知部１４ｇは、表示領域調停部１４ｃから受け取った新たな部分領域のサイズを通信部１３経由で携帯端末装置２０に向けて通知する処理を行う処理部である。
【００５４】
記憶部１５は、ＨＤＤ（Hard  Disk  Drive）やＲＡＭ（Random  Access  Memory）等の記憶デバイスで構成される記憶部であり、部分領域情報１５ａを記憶する。部分領域情報１５ａは、図３を用いて既に説明したように、各部分領域の位置やサイズ、対応させる画面データの割り当て順序を示す優先度等を含んだ情報である。
【００５５】
なお、図４および図５では、一つの部分領域情報１５ａを示したが、上述したように、かかる部分領域情報１５ａを複数用意しておき、画面データの表示数に応じて部分領域情報１５ａを切り替えることもできる。また、本実施例では、車載装置１０の入力部１１を介して部分領域情報１５ａを設定する場合について示すが、携帯端末装置２０から部分領域情報１５ａを受け取ることとしてもよい。
【００５６】
図６は、部分領域情報１５ａの切り替えを説明する図である。なお、同図に示す（Ａ）および（Ｂ）では、部分領域数が２である部分領域情報１５ａを用いており、同図に示す（Ｃ）では、部分領域数が３である部分領域情報１５ａを用いている。また、同図に示す（Ｄ）では、部分領域が６である部分領域情報１５ａを用いている。
【００５７】
同図の（Ａ）に示すように、画面データの表示数が１の場合には、領域１が画面データの表示先となり、残りの領域にナビ画面（カーナビゲーション画面）が対応付けられている。そして、新たに表示要求を受け付けて画面データの表示数が２になった場合には、ナビ画面に割り当てられていた領域２が画面データの表示先となる。
【００５８】
そして、表示数が３となった場合には、部分領域情報１５ａが切り替えられ、同図の（Ｃ）に示すレイアウトとなる。さらに、表示数が増えた場合には、部分領域情報１５ａが切り替えられ、同図の（Ｄ）に示すレイアウトとなる。なお、同図においては、最大６つの部分領域を示しているが、部分領域の数に制限はない。また、各部分領域を必ずしも矩形にする必要はなく、お互いの部分領域が重ならない形状とすることができる。
【００５９】
なお、図６においては、画面データの数に応じて自動的に部分領域情報１５ａを切り替える場合について説明したが、使用する部分領域情報１５ａを乗車者に選択させることとしてもよい。この場合、車載装置１０のディスプレイ１２、または、携帯端末装置２０の図示しないディスプレイに部分領域情報１５ａの概要を示す選択肢を表示し、車載装置の入力部１１、または、携帯端末装置２０の入力部２２から選択結果を入力させることになる。
【００６０】
図２の説明に戻り、携帯端末装置２０について説明する。携帯端末装置２０は、画面データを生成するアプリケーションプログラムを搭載した携帯電話等の携帯可能な端末装置である。この携帯端末装置２０は、通信部２１と、入力部２２と、制御部２３とを備えている。また、制御部２３は、領域サイズ受付部２３ａと、画面生成部２３ｂとをさらに備えている。なお、同図においては、本発明に係る画面制御システム１の特徴を説明するために必要な構成要素のみを示している。
【００６１】
通信部２１は、車載装置１０との無線通信を行う処理部である。この通信部２１は、たとえば、Ｂｌｕｅｔｏｏｔｈ（登録商標）の通信規格に基づき、車載装置１０との間で双方向のデータ送受信を行う。なお、本実施例においては、車載装置１０／携帯端末装置２０間の通信を無線通信によって行う場合を示しているが、有線通信によって通信することとしてもよい。
【００６２】
入力部２２は、操作ボタン、カーソルキー等によって構成される入力デバイスであり、乗車者からの入力を画面生成部２３ｂ等に渡す処理を行う。なお、本実施例においては、携帯端末装置２０の入力部２２を通して画面データの表示先等を指定する操作を行う場合について主に説明するが、車載装置１０の入力部１１を介してかかる操作を行うこととしてもよい。
【００６３】
制御部２３は、車載装置１０のディスプレイ１２に表示する画面データを生成するとともに、車載装置１０から通知された領域サイズにあわせて画面データのサイズを変更する処理を行う処理部である。領域サイズ受付部２３ａは、車載装置１０から通知された領域サイズを通信部２１経由で受け取り、画面生成部２３ｂへ渡す処理を行う処理部である。
【００６４】
画面生成部２３ｂは、アプリケーションプログラムに対応する処理部であり、領域サイズ受付部２３ａから渡された領域サイズにあう画面データを生成する処理部である。また、この画面生成部２３ｂは、生成した画面データを含む表示要求を通信部２１経由で車載装置１０へ向けて送信する処理を行う処理部でもある。
【００６５】
次に、車載装置１０が実行する処理手順について図７を用いて説明する。図７は、車載装置１０が実行する処理手順を示すフローチャートである。同図に示すように、乗車者の操作によって表示希望画面の表示先候補が選択されると（ステップＳ１０１）、候補となる表示先（部分領域）に表示画面があるか否かが判定される（ステップＳ１０２）。そして、表示先に表示画面がある場合には（ステップＳ１０２，Ｙｅｓ）、表示先画面は位置が固定されているか否かが判定される（ステップＳ１０３）。
【００６６】
そして、表示先画面の位置が固定されている場合には（ステップＳ１０３，Ｙｅｓ）、固定を解除するか否かの意思確認が行われ、固定解除指示があった場合には（ステップＳ１０４，Ｙｅｓ）、表示先候補を表示先に決定する（ステップＳ１０５）。一方、固定解除指示がなかった場合には（ステップＳ１０４，Ｎｏ）、ステップＳ１０１以降の処理を繰り返すことになる。
【００６７】
なお、ステップＳ１０２の判定条件を満たさなかった場合には（ステップＳ１０２，Ｎｏ）、ステップＳ１０３およびステップＳ１０４の処理を行うことなくステップＳ１０５の処理を行い、ステップＳ１０３の判定条件を満たさなかった場合には（ステップＳ１０３，Ｎｏ）、ステップＳ１０４の処理を行うことなくステップＳ１０５の処理を行う。
【００６８】
ステップＳ１０５につづき、表示希望画面を位置固定とするか否かが判定される（ステップＳ１０６）。なお、位置固定であるか否かの判定は、上述したように、確認メッセージに対する応答や、特定の操作が行われたか否かに基づいて行われる。そして、表示希望画面が位置固定である場合には（ステップＳ１０６，Ｙｅｓ）、当該画面データを表示先に固定する旨の対応付けが行われる（ステップＳ１０７）。一方、表示希望画面が位置固定ではない場合には（ステップＳ１０６，Ｎｏ）、当該画面データを表示先に固定しない旨の対応付けが行われる（ステップＳ１０８）。
【００６９】
つづいて、表示希望画面の表示によって他の表示画面の表示先を移動する必要があるか否かが判定され（ステップＳ１０９）、他の表示画面の表示先を移動する必要がある場合には（ステップＳ１０９，Ｙｅｓ）、他の表示画面について表示先が決定される（ステップＳ１１０）。そして、表示先が変更されることによって部分領域のサイズが異なるものとなる場合には、各表示画面に対応する携帯端末装置２０へ画面サイズが通知される（ステップＳ１１１）。そして、各画面データを受信したならば（ステップＳ１１２）、各画面データを対応付けられた表示先へ表示して（ステップＳ１１３）、処理を終了する。なお、ステップＳ１０９の判定条件を満たさなかった場合には（ステップＳ１０９，Ｎｏ）、ステップＳ１１０〜ステップＳ１１３の処理を行うことなく処理を終了する。
【００７０】
上述してきたように、本実施例によれば、ディスプレイの表示領域上に配置される複数の部分領域それぞれについての配置情報と各部分領域に対する画面データの対応順序を示す優先度とを関連付けた情報である部分領域情報を記憶し、表示領域調停部が、ディスプレイに対する画面データの表示要求を受け付けた場合に、部分領域情報に含まれる優先度に基づいて画面データを部分領域のいずれかに対応付け、部分領域に対応付けられた画面データを部分領域情報に含まれる配置情報に基づいてディスプレイへ表示するように車載装置を構成した。また、生成した画面データの表示を希望する部分領域を指定するように携帯端末装置を構成した。
【００７１】
したがって、各画面データに対応するウィンドウが重なりあうことによる視認性の悪さを回避することで、振動等によって画面操作がしづらく、また、ディスプレイに表示された情報を瞬時に把握することが必要な車内環境に適した形で複数の画面データを乗車者が把握しやすいように提供することができる。
【００７２】
なお、上述した実施例においては、携帯端末装置が生成した画面データを車載装置のディスプレイへ表示する場合について示したが、車載装置が生成した画面データを、携帯端末装置が生成した画面データと同様に表示制御の対象とすることとしてもよい。
【００７３】
また、上述した実施例では、車載装置から携帯端末装置へ部分領域のサイズを通知し、携帯端末装置側で画面データの表示サイズを部分領域のサイズに適合させる場合について示したが、かかるサイズの通知に替えて、または、サイズの通知とともに、該当する部分領域の解像度を通知することとしてもよい。また、車載装置が携帯端末装置へ部分領域のサイズ等を通知することなく、携帯端末装置から受け取った画面データのサイズを部分領域のサイズに適合する拡大／縮小処理を行うこととしてもよい。
【実施例２】
【００７４】
ところで、実施例１では、携帯端末装置により生成されたデータを受信してディスプレイに表示する例について説明したが、本発明はこれに限定されるものではなく、携帯端末装置からＵＲＬなどを受信して、車載装置でデータを取得して、ディスプレイに表示することもできる。
【００７５】
そこで、実施例２では、図８〜図１１を用いて、ディスプレイに表示するデータを特定するデータ情報を携帯端末装置から受け付け、当該データ情報により特定されるデータを取得して表示領域の調停を行い、データをディスプレイに表示する例について説明する。
【００７６】
（実施例２に係る車載装置の概要）
まず、図８を用いて、実施例２に係る車載装置の概要について説明する。図８は、実施例２に係る車載装置の概要を説明するための図である。
【００７７】
図８に示すように、画面表示システムを要する車内には、実施例２に係る車載装置１０と、運転者が手を使わずに車載装置を操作できるイヤホンとマイクなどを有するハンズフリー装置１００と、車内に存在する同乗者が所有する携帯端末装置２００ａ〜２００ｃとがBluetoothなどの無線通信により接続されている。
【００７８】
このような構成において、車内の同乗者が携帯端末装置を用いて、例えば、目的地周辺のレストランをインターネットで同時に検索し、携帯端末装置２００ａ、携帯端末装置２００ｂ、携帯端末装置２００ｃの順で検索を終了したとする。
【００７９】
この場合、携帯端末装置２００ａは、利用者の操作により、インターネットにアクセスしてレストランを検索サイトなどで検索し、その結果、「ＵＲＬ（Ａ）」を取得する（図８の（１）参照）。なお、ＵＲＬとは、インターネット上に存在する情報資源(文書や画像など)の場所を指し示す記述方式を示す「Uniform  Resource  Locator」である。
【００８０】
そして、携帯端末装置２００ａは、このデータ情報「ＵＲＬ（Ａ）」を車載装置１００に送信し、車載装置１０は、受信した「ＵＲＬ（Ａ）」にアクセスして、レストラン情報「データＡ」を取得する（図８の（２）参照）。
【００８１】
続いて、車載装置１０は、右画面をナビ情報の固定画面とするディスプレイの左画面に取得した「データＡ」を表示する（図８の（３）参照）。なお、車載装置１０がディスプレイにデータを表示する表示調停方法などは、実施例１と同様の手法であるので、詳細な説明は省略する。
【００８２】
その後、同様に、インターネット検索を終了した携帯端末装置２００ｂ、携帯端末装置２００ｃから順に「ＵＲＬ（Ｂ）」と「ＵＲＬ（Ｃ）」とを受信した車載装置１０は、「ＵＲＬ（Ｂ）」と「ＵＲＬ（Ｃ）」とに順にアクセスして、レストラン情報「データＢ」と「データＣ」とを取得して、ディスプレイの左画面に表示する。
【００８３】
このようにすることで、車内に持ち込まれた複数の携帯端末装置を用いて、同時に情報検索ができるとともに、携帯端末装置で取得された情報をディスプレイに表示することにより、情報の共有化が容易に図れる。
【００８４】
（実施例２に係る車載装置の構成）
次に、図９を用いて、実施例２に係る車載装置の構成について説明する。図９は、実施例２に係る車載装置を含む画面表示システムの構成を示すブロック図である。
【００８５】
図９に示すように、画面表示システムは、車載装置１０とハンズフリー装置１００と携帯端末装置２００とを有する。なお、携帯端末装置２００は、図１で説明した携帯端末装置２０ａ〜２０ｃに対応し、携帯端末装置２０ａ〜２０ｃは同様の構成を有するので、ここでは、携帯端末装置２００として説明する。また、ハンズフリー装置１００についても、携帯端末装置２０ａ〜２０ｃと同様の構成を有するので、ここでは詳細な説明は省略する。
【００８６】
また、車載装置１０とハンズフリー装置１００、車載装置１０と携帯端末装置２００とは、それぞれペアリング処理を行って接続を確立しているために、どの装置と接続確立されているかを認識することができる。例えば、ペアリング処理を行うことにより、車載機１００は、携帯端末装置２００と携帯端末装置のユーザ名とを対応付けて記憶することもできる。
【００８７】
（車載機１０の構成）
車載機１０は、図９に示すように、入力部１１と、ディスプレイ１２と、通信部１３と、制御部１４と、記憶部１５とを有する。このうち、入力部１１と、ディスプレイ１２と、通信部１３と、制御部１４の部分領域情報登録部１４ａと選択部１４ｂと画面保持部１４ｅと表示要求受付部１４ｆと領域サイズ通知部１４ｇと、記憶部１５の部分領域１５ａとは、図２で説明した機能と同様の機能を有するので、ここでは詳細な説明は省略する。
【００８８】
記憶部１５は、過去に表示制御部３３によりディスプレイ１２に表示されたデータである表示データ１５ｂを記憶する。例えば、表示データ１５ｂは、ディスプレイ１２に表示された画像データ、音楽データ、地図データ、テキストデータであったり、インターネットのホームページなどのキャッシュデータである。
【００８９】
制御部１４の表示領域調停部３１は、ディスプレイ１２に表示するデータを特定するデータ情報を携帯端末装置２００から受け付けた場合に、当該データ情報により特定されるデータを取得して、部分領域情報に含まれる優先度に基づいて当該データを部分領域のいずれかに対応付けることによって表示領域の調停を行う。
【００９０】
具体的には、表示領域調停部３１は、携帯端末装置２００から送信されたＵＲＬを通信部１３を介して受信し、受信したＵＲＬにアクセスして、インターネットなどのネットワークを介してデータを取得する。そして、表示領域調停部３１は、記憶部１５の部分領域情報１５ａに基づき、表示要求受付部１４ｂから受け取った表示要求に含まれるデータを各部分領域に割り当て、当該ＵＲＬを送信した携帯端末装置情報とあわせて表示制御部１４ｄへ渡す処理を行う。なお、表示領域調停部３１が行う調停処理については、実施例１と同様であるので、ここでは詳細な説明は省略する。
【００９１】
また、表示領域調停部３１は、利用者の指示操作により指定されたデータを記憶部１５の表示データ１５ｂから取得して、部分領域情報に含まれる優先度に基づいて当該データを部分領域のいずれかに対応付けることによって表示領域の調停を行うこともできる。具体的には、表示領域調停部３１は、利用者（運転者）などが入力部１１やディスプレイ１２を操作してキャッシュデータの検索を行った場合に、記憶部１５の表示データ１５ｂ一覧をディスプレイ１２に表示する。そして、表示領域調停部３１は、表示した表示データ１５ｂ一覧から所望の表示データが利用者により選択された場合に（例えば、カーソルやタッチパネルなどで選択される）、当該選択された表示データを表示データ１５ｂから取得して、部分領域情報に含まれる優先度に基づいて当該データを部分領域のいずれかに対応付けることによって表示領域の調停を行う。
【００９２】
制御部１４の表示制御部３２は、部分領域に対応付けられたデータを部分領域情報に含まれる配置情報に基づいてディスプレイ１２へ表示する。具体的には、表示制御部３２は、表示領域調停部３１によって部分領域に対応付けられたデータを、部分領域情報１５ａに含まれる各部分領域の位置およびサイズに基づいてディスプレイ１２に対して表示する処理を行う。また、表示制御部３２は、表示領域調停部３１によって取得されたデータをディスプレイ１２に表示するとともに、当該データを表示データ１５ｂとして記憶部１５に格納する。
【００９３】
また、表示制御部３２は、ディスプレイ１２へデータを表示するのに際して、当該データを特定するデータ情報を送信した携帯端末装置２００を特定する情報をあわせて、ディスプレイ１２に表示する。具体的には、表示制御部３２は、当該データのＵＲＬを送信した携帯端末装置２００を、当該データが表示されるディスプレイ１２上の部分領域の右上などに表示する。例えば、表示制御部３２は、表示領域調停部３１から取得した携帯端末装置情報と、予め実施しているペアリング処理とに基づいて、携帯端末装置のユーザ名を取得し、取得したユーザ名を表示するようにしてもよい。
【００９４】
接続制御部３３は、既に接続されている複数の携帯端末装置とは異なる他の携帯端末装置から接続要求を受け付けた場合に、所定の条件に基づいて、他の携帯端末装置との接続を許可または拒否する。具体的には、接続制御部３３は、既に接続されている携帯端末装置２００（図８では、携帯端末装置２００ａ〜２００ｃ）とは異なる他の携帯端末装置から派リンク要求（接続要求）を受け付けた場合に、ディスプレイ１２や図示しないスピーカなどに対して、当該接続を許可するか拒否するかを利用者（運転者）に問い合わせる画像メッセージや音声メッセージなどを出力して、利用者により許可または拒否を選択させる。そして、接続制御部３３は、利用者により接続許可が選択されると、新たな携帯端末装置との間でペアリング処理を実行して新たな接続を確立し、利用者により接続拒否が選択されると、新たな携帯端末装置との間の接続を拒否する。
【００９５】
また、接続制御部３３は、車載装置１０と接続できる携帯端末装置の台数（例えば、５台など）を予め決めておき、新たな携帯端末装置から接続要求を受信したときに、この台数内であれば、新たな携帯端末装置との接続を許可し、この台数を超える場合には、接続を拒否するようにしてもよい。
【００９６】
接続切断部３４は、既に接続されている携帯端末装置との接続を、所定の条件に基づいて、切断する。具体的には、接続切断部３４は、既に接続されている携帯端末装置２００（図８では、携帯端末装置２００ａ）から切断要求を受信した場合、ディスプレイ１２や図示しないスピーカなどに対して、当該切断を許可するか拒否するかを利用者（運転者）に問い合わせる画像メッセージや音声メッセージなどを出力して、利用者により許可または拒否を選択させる。そして、接続制御部３４は、利用者により切断許可が選択されると、携帯端末装置２００との接続を切断し、利用者により切断拒否が選択されると、携帯端末装置２００との切断を拒否して、接続を維持する。
【００９７】
データ送信部３５は、ディスプレイ１２に表示したデータの取得要求を送信した携帯端末装置に、ディスプレイ１２に表示したデータを送信する。具体的には、データ送信部３５は、携帯端末装置２００（図８では携帯端末装置２００ａ）からＵＲＬを受信し、当該ＵＲＬから得られたデータＡをディスプレイ１２に表示したとする。そして、データ送信部２５は、ディスプレイ１２に表示したデータＡの取得要求を携帯端末装置２００とは異なる携帯端末装置（図８では携帯端末装置２００ｂ）から受信した場合、データＡを記憶部１５の表示データ１５ｂから取得して、テキストデータ、画像データの少なくとも一つのデータ形式を用いて、異なる携帯端末装置に送信する。
【００９８】
（実施例２に係る携帯端末装置２００の構成）
携帯端末装置２００は、図９に示すように、通信部２０１と、入力部２０２と、記憶部２０３と、検索処理部２０４とを有する。
【００９９】
かかる通信部２０１は、車載装置１０やハンズフリー装置１００との間で無線通信を行う処理部である。この通信部２０１は、たとえば、Ｂｌｕｅｔｏｏｔｈ（登録商標）の通信規格に基づき、車載装置１０やハンズフリー装置１００との間で双方向のデータ送受信を行う。なお、本実施例においては、車載装置１０、ハンズフリー装置１００、携帯端末装置２００との間の通信を無線通信によって行う場合を示しているが、有線通信によって通信することとしてもよい。
【０１００】
入力部２０２は、操作ボタン、カーソルキー等によって構成される入力デバイスであり、乗車者からの入力を画面生成部２３ｂ等に渡す処理を行う。なお、本実施例においては、携帯端末装置２００の入力部２０２を通して画面データの表示先等を指定する操作を行う場合について主に説明するが、車載装置１０の入力部１１を介してかかる操作を行うこととしてもよい。
【０１０１】
記憶部２０３は、検索処理部２０４により実行されるプログラムなどを記憶するとともに、例えば、検索処理部２０４によりインターネットを介して検索されたＵＲＬやデータをキャッシュデータとして記憶する。
【０１０２】
検索処理部２０４は、インターネットを介して様々なデータやホームページを検索する処理部である。具体的には、検索処理部２０４は、インターネット検索するか、または、記憶部２０３からキャッシュデータを検索するかを利用者の指示操作から判定する。例えば、検索処理部２０４は、アクセス先としてキャッシュデータが利用者により選択された場合には、記憶部２０３にアクセスしてキャッシュデータを検索し、アクセス先としてインターネットが利用者により選択された場合には、通信部２０１を介してインターネットにアクセスしてデータ検索を実行する。そして、検索処理部２０４は、検索されたＵＲＬやデータを、通信部２０１を介して車載装置１０に送信する。
【０１０３】
（実施例２に係る処理の流れ）
次に、図１０〜図１２を用いて、実施例２に係る車載装置を含む画面表示システムにおける処理の流れを説明する。図１０は、実施例２に係る車載装置における処理の流れを示すフローチャートであり、図１１は、実施例２に係る携帯端末装置における処理の流れを示すフローチャートであり、図１２は、実施例２に係る車載装置を含む画面表示システムの処理シーケンスを示すシーケンス図である。
【０１０４】
（車載装置における処理の流れ）
図１０に示すように、車載装置１０は、利用者（運転者）の指示操作により検索が開始されると（ステップＳ２０１肯定）、自装置内のデータベースを利用するか否かを利用者などに問い合わせる（ステップＳ２０２）。なお、問い合わせの手法としては、例えば、ディスプレイ１２に「ＤＢ利用」、「携帯端末利用」のボタンを表示して利用者に選択させるなどの手法などがある。
【０１０５】
そして、車載装置１０は、自装置内のデータベースを利用する場合（ステップＳ２０２肯定）、自装置の記憶部１５に表示データ１５ｂとして記憶されるデータ一覧をディスプレイ１２に表示して、利用者により所望のデータを検索させる（ステップＳ２０３とステップＳ２０４否定）。
【０１０６】
その後、所望のデータが見つかり、検索が終了すると（ステップＳ２０４肯定）、車載装置１０は、選択された所望のデータを記憶部１５から取得し（ステップＳ２０５）、実施例１と同様の手法で、ディスプレイ１２上の表示先を決定して（ステップＳ２０６）、利用者により検索された所望のデータを実施例１で説明した調停を行って、ディスプレイ１２に表示する（ステップＳ２０７）。
【０１０７】
車載装置１０は、利用者により選択されたデータ、すなわり、表示するデータが存在する限り（ステップＳ２０８否定）、ステップＳ２０６とステップＳ２０７とを繰り返し、表示するデータがなくなると（ステップＳ２０８肯定）、携帯端末装置から表示したデータの転送要求を受信したか否かを判定する（ステップＳ２０９）。
【０１０８】
そして、車載装置１０は、携帯端末装置から表示したデータの転送要求を受信した場合には（ステップＳ２０９肯定）、ディスプレイ１２に表示したデータを記憶部１５から取得して、転送要求を送信した携帯端末装置全てに転送する（ステップＳ２１０）。
【０１０９】
一方、車載装置１０は、携帯端末装置から表示したデータの転送要求を受信しない場合には（ステップＳ２０９否定）、処理を終了する。
【０１１０】
また、ステップＳ２０２に戻り、車載装置１０は、自装置内のデータベースを利用しないと利用者により選択された場合（ステップＳ２０２否定）、自装置と接続される携帯端末装置からデータ（ＵＲＬ）が送信されるまで待機する（ステップＳ２１１）。
【０１１１】
そして、車載装置１０は、自装置と接続される携帯端末装置からデータ（ＵＲＬ）を受信した場合（ステップＳ２１１肯定）、受信したＵＲＬにアクセスしてデータを取得し（ステップＳ２０５）、上記したステップＳ２０６〜ステップＳ２１０の処理を実行する。
【０１１２】
（携帯端末装置における処理の流れ）
次に、図１１を用いて、携帯端末装置における処理の流れについて説明する。図１１に示すように、携帯端末装置２００は、利用者（所有者）の指示操作により検索が開始されると（ステップＳ３０１肯定）、ディスプレイなどの表示部にキャッシュデータを利用するか否かを利用者に問い合わせる（ステップＳ３０２）。なお、携帯端末装置２００は、例えば、「キャッシュデータから検索」ボタンをディスプレイに表示させることにより、利用者に選択させることができる。
【０１１３】
そして、携帯端末装置２００は、キャッシュデータを利用することが利用者に選択されると（ステップＳ３０２肯定）、記憶部２０３からキャッシュデータの一覧などをディスプレイに表示して、所望のデータを利用者に検索させる（ステップＳ３０３）。
【０１１４】
その後、携帯端末装置２００は、利用者により所望のデータが検索されると（ステップＳ３０４肯定）、選択されたデータを車載装置１０へ転送するか否かを利用者に問い合わせる（ステップＳ３０５）。なお、携帯端末装置２００は、例えば、「転送」、「非転送」などを選択させるボタンをディスプレイに表示させることにより、利用者に選択させることができる。
【０１１５】
そして、携帯端末装置２００は、転送することが選択された場合には（ステップＳ３０５肯定）、利用者により選択されたデータを記憶部２０３から取得して、車載装置に転送し（ステップＳ３０６）、転送することが選択されなかった場合には（ステップＳ３０５否定）、処理を終了する。
【０１１６】
一方、ステップＳ３０２に戻り、携帯端末装置２００は、キャッシュデータを利用することが利用者に選択されなかった場合（ステップＳ３０２否定）、インターネットにアクセスして所望のデータを検索するか否かを利用者に問い合わせる（ステップＳ３０７）。なお、携帯端末装置２００は、例えば、「インターネットから検索」ボタンをディスプレイに表示させることにより、利用者に選択させることができる。
【０１１７】
そして、携帯端末装置２００は、インターネットを利用することが利用者に選択されると（ステップＳ３０７肯定）、利用者の操作によりインターネットの様々なＵＲＬにアクセスして、所望のデータを利用者に検索させ（ステップＳ３０８）、利用者により所望のデータが検索されると（ステップＳ３０９肯定）、ステップＳ３０５以降の処理を実行する。
【０１１８】
一方、携帯端末装置２００は、インターネットを利用することが利用者に選択されなかった場合（ステップＳ３０７否定）、処理を終了する。
【０１１９】
（画面表示システムの処理シーケンス）
次に、図１２を用いて、画面表示システムの処理シーケンスについて説明する。なお、図１２では、車両の同乗者が同時に検索する例、具体的には、車両の同乗者の一人が車載装置のデータベースから検索し、他の同乗者が携帯端末装置を用いてインターネットから検索する例について説明する。
【０１２０】
図１２に示すように、車載装置１０と携帯端末装置２００ａ〜２００ｃとの間でペアリング処理が実行されて接続を確立しているために、車載装置１００は、どの装置と接続確立されているかを認識することができる（ステップＳ４０１）。
【０１２１】
そして、ある同乗者（例えば、助手席者）は、車載装置１０のディスプレイなどを操作することにより、車載装置の記憶部１５の表示データ１５ｂにアクセスして、所望のデータを検索し、所望のデータが検索されれば（ステップＳ４０２〜４０３）、車載装置１０は、当該データをディスプレイに表示する（ステップＳ４０４）。
【０１２２】
上記したある同乗者が車載装置のデータベースから所望のデータを検索するのと同時期に、他の同乗者たち（例えば、後部座席者）は、自分たちが所有する携帯端末装置（携帯端末装置２００ａ〜２００ｃ）を用いて、図１０で説明したキャッシュデータやインターネットにアクセスして所望のデータ（ＵＲＬ）を検索する（ステップＳ４０５〜ステップＳ４１８）。
【０１２３】
そして、他の同乗者たちは、それぞれ検索が終わったタイミングで、それぞれの携帯端末装置から車載装置１０に検索結果（ＵＲＬ）を転送する（ステップＳ４１１〜ステップＳ４２２）。
【０１２４】
すると、各携帯端末装置が検索結果を受信した車載装置１０は、検索結果を受信するたびに、当該検索結果であるＵＲＬにアクセスして、各携帯端末装置の利用者が消耗するデータを取得し、実施例１で説明した調停を行って、取得したデータをディスプレイに表示する（ステップＳ４２３〜ステップＳ４２６）。
【０１２５】
その後、車載装置１０は、携帯端末装置からデータ転送要求を受信した場合（ステップＳ４２７）、または、車載装置１０を操作する同乗者により、特定の携帯端末装置へのデータ転送指示を受け付けた場合（ステップＳ４２８とステップＳ４２９）、データ転送要求を受け付けた携帯端末装置またはデータ転送指示を受け付けた携帯端末装置に対して、ディスプレイに表示したデータのＵＲＬなどを転送する（ステップＳ４３０〜ステップＳ４３３）。
【０１２６】
なお、データ転送指示手法としては、例えば、車載装置１０と携帯端末装置とがペアリング処理を実施していることより、車載装置１０は、携帯端末装置を個別に認識できるため、ディスプレイになどに転送先を選択させる画面を出力し、利用者がそれを選択する手法などがある。また、図１２では、全ての携帯端末装置からデータ転送要求を受け付けたまたは全ての携帯端末装置に対するデータ転送指示を受け付けた場合について図示しているが、必ずしもこれに限定されるわけでなく、例えば、１つの携帯端末装置に対してのみデータ転送することもできる。
【０１２７】
このようにして、携帯端末装置は、各同乗者により検索されて車載装置１０に表示されたＵＲＬを取得し、取得したＵＲＬにアクセスしてデータを取得してディスプレイに表示する（ステップＳ４３４〜ステップＳ４４５）。
【０１２８】
（実施例２による効果）
このように、実施例２によれば、ディスプレイの表示領域上に配置される複数の部分領域それぞれについての配置情報と各部分領域に対する画面データの対応順序を示す優先度とを関連付けた情報である部分領域情報を記憶部へ登録し、ディスプレイに表示するデータを特定するデータ情報を携帯端末装置から受け付けた場合に、当該データ情報により特定されるデータを取得して、部分領域情報に含まれる優先度に基づいて当該データを部分領域のいずれかに対応付けることによって表示領域の調停を行い、部分領域に対応付けられたデータを部分領域情報に含まれる配置情報に基づいてディスプレイへ表示する。
【０１２９】
その結果、車内に持ち込まれた複数の携帯電話などを利用して、複数同時に情報検索をして、検索結果を車内に表示し、情報の共有化を図ることができる。また、BlueToothなどの無線通信方式を用いることにより、車載装置への送信が容易になる。また、情報検索には、日常使用する携帯端末などを用いることができるため、特別な装置を購入するコストを削減することができる。
【０１３０】
また、実施例２によれば、過去にディスプレイに表示されたデータを記憶する記憶部を有し、利用者の指示操作により指定されたデータを記憶部から取得して、部分領域情報に含まれる優先度に基づいて当該データを部分領域のいずれかに対応付けることによって表示領域の調停を行う。その結果、過去に表示したデータ（キャッシュデータ）を利用することができるため、通信費を削減することができる。
【０１３１】
ディスプレイに表示したデータの取得要求を送信した携帯端末装置に、ディスプレイに表示したデータを送信するので、同乗者は、車載装置のディスプレイからではなく、自身が所有する携帯電話などで情報を閲覧することができ、情報取得による同乗者の不快感を取り除くことができる。
【０１３２】
既に接続されている複数の携帯端末装置とは異なる他の携帯端末装置から接続要求を受け付けた場合に、所定の条件に基づいて、他の携帯端末装置との接続を許可または拒否する。その結果、途中から乗車した同乗者などの携帯電話を容易に接続することができる。
【０１３３】
既に接続されている携帯端末装置との接続を、所定の条件に基づいて、切断することができる。その結果、ウイルスに犯された端末や不正な端末などを容易に切断することができ、二次被害を防止することができる。
【０１３４】
また、本願が開示する車載装置は、テキストデータ、画像データの少なくとも一つのデータ形式を用いて、携帯端末装置にデータを送信することができる。その結果、通信速度や利用者の使用体系（例えば、パケット料金が定額など）に応じて、データ転送を行うことができる。
【０１３５】
また、本願が開示する車載装置は、ディスプレイへデータを表示するのに際して、当該データを特定するデータ情報を送信した携帯端末装置を特定する情報をあわせて、ディスプレイに表示することができる。その結果、どの携帯端末装置（同乗者）がどのような情報を車載装置に転送したか（言い換えれば、どの携帯端末装置（同乗者）がどのような情報をデータ検索したか）についても、車内で共有化することができる。
【産業上の利用可能性】
【０１３６】
以上のように、本発明に係る車載装置および表示制御システムは、画面操作が行いにくい環境における画面制御に適しており、特に、安全上の観点から画面を凝視しつづけることが難しい自動車等の移動体における画面制御に適している。
【図面の簡単な説明】
【０１３７】
【図１】本実施例に係る画面制御システムの概要を示す図である。
【図２】車載装置および携帯端末装置の構成を示す図である。
【図３】部分領域情報の一例を示す図である。
【図４】画面データの追加について説明する図である。
【図５】画面データの移動について説明する図である。
【図６】部分領域情報の切り替えを説明する図である。
【図７】車載装置が実行する処理手順を示すフローチャートである。
【図８】実施例２に係る車載装置の概要を説明するための図である。
【図９】実施例２に係る車載装置を含む画面表示システムの構成を示すブロック図である。
【図１０】実施例２に係る車載装置における処理の流れを示すフローチャートである。
【図１１】実施例２に係る携帯端末装置における処理の流れを示すフローチャートである。
【図１２】実施例２に係る車載装置を含む画面表示システムの処理シーケンスを示すシーケンス図である。
【符号の説明】
【０１３８】
１  画面制御システム
１０  車載装置
１１  入力部
１２  ディスプレイ
１３  通信部
１４  制御部
１４ａ  部分領域情報登録部
１４ｂ  選択部
１４ｃ、３１  表示領域調停部
１４ｄ、３２  表示制御部
１４ｅ  画面保持部
１４ｆ  表示要求受付部
１４ｇ  領域サイズ通知部
１５  記憶部
１５ａ  部分領域情報
１５ｂ  表示データ
２０、２０ａ、２０ｂ  ２００  携帯端末装置
２１  通信部
２２  入力部
２３  制御部
２３ａ  領域サイズ受付部
２３ｂ  画面生成部
３３  接続制御部
３４  接続切断部
３５  データ転送部
２０１  通信部
２０２  入力部
２０３  記憶部
２０４  検索処理部
【図１】
2009140488.tif 000003
【図２】
2009140488.tif 000004
【図３】
2009140488.tif 000005
【図４】
2009140488.tif 000006
【図５】
2009140488.tif 000007
【図６】
2009140488.tif 000008
【図７】
2009140488.tif 000009
【図８】
2009140488.tif 000010
【図９】
2009140488.tif 000011
【図１０】
2009140488.tif 000012
【図１１】
2009140488.tif 000013
【図１２】
2009140488.tif 000014